【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
情報処理装置であって、
ネットワーク上のデバイスの中から所望のデバイスを検索するための検索要求が所定のデータサイズを超える場合、前記検索要求を第一の検索要求と第二の検索要求に分割する分割手段と、
前記第一の検索要求と前記第二の検索要求を送信する送信手段と、
前記第一の検索要求に対する第一の検索結果と前記第二の検索要求に対する第二の検索結果のそれぞれを受信する受信手段と、
前記受信手段によって受信された第一の検索結果と第二の検索結果とに基づいて結果を表示する表示手段とを有することを特徴とする情報処理装置。
【請求項２】
前記検索要求は、デバイスの機器情報を示す第一の検索条件と第二の検索条件を含み、前記分割手段は、前記検索要求を前記第一の検索条件を含む第一の検索要求と前記第二の検索条件を含む第二の検索要求とに分割することを特徴とする請求項１記載の情報処理装置。
【請求項３】
前記検索要求は、デバイスの機器情報を示す第一の検索条件と第二の検索条件と第三の検索条件を含み、前記分割手段は、前記検索要求を前記第一の検索条件と第二の検索条件とを含む第一の検索要求と前記第三の検索条件を含む第二の検索要求とに分割することを特徴とする請求項１記載の情報処理装置。
【請求項４】
前記検索要求はデバイスの機器情報を示す少なくとも一つ以上の検索条件を含み、当該検索条件をユーザが入力可能な入力手段を更に有することを特徴とする請求項１乃至３の何れかに記載の情報処理装置。
【請求項５】
前記送信手段は、検索要求をネットワーク上にマルチキャストで送信することを特徴とする請求項１乃至４の何れかに記載の情報処理装置。
【請求項６】
前記送信手段は、ＵＤＰプロトコルに基づいて検索要求をネットワーク上に送信することを特徴とする請求項１乃至５の何れかに記載の情報処理装置。
【請求項７】
前記受信手段で受信された第一の検索結果と第二の検索結果を合成して検索結果を生成する生成手段を更に有することを特徴とする請求項１乃至６の何れかに記載の情報処理装置。
【請求項８】
情報処理装置であって、
デバイスの機器情報を示す第一の検索条件と第二の検索条件をユーザに入力させる入力手段と、
前記第一の検索条件と前記第二の検索条件を含む検索要求が所定のデータサイズを超える場合、前記第一の検索条件を含む第一の検索要求と前記第二の検索条件を含む第二の検索要求を送信する送信手段と、
前記第一の検索要求に対する第一の検索結果と前記第二の検索要求に対する第二の検索結果のそれぞれを受信する受信手段と、
前記受信手段によって受信された第一の検索結果及び第二の検索結果に基づいて結果を表示する表示手段とを有することを特徴とする情報処理装置。
【請求項９】
情報処理装置の制御方法であって、
ネットワーク上のデバイスの中から所望のデバイスを検索するための検索要求が所定のデータサイズを超える場合、前記検索要求を第一の検索要求と第二の検索要求に分割する分割ステップと、
前記第一の検索要求と前記第二の検索要求を送信する送信ステップと、
前記第一の検索要求に対する第一の検索結果と前記第二の検索要求に対する第二の検索結果のそれぞれを受信する受信ステップと、
前記受信ステップによって受信された第一の検索結果と第二の検索結果とに基づいて結果を表示する表示ステップとを有することを特徴とする制御方法。
【請求項１０】
前記検索要求は、デバイスの機器情報を示す第一の検索条件と第二の検索条件を含み、前記分割ステップは、前記検索要求を前記第一の検索条件を含む第一の検索要求と前記第二の検索条件を含む第二の検索要求とに分割することを特徴とする請求項９記載の制御方法。
【請求項１１】
前記検索要求は、デバイスの機器情報を示す第一の検索条件と第二の検索条件と第三の検索条件を含み、前記分割ステップは、前記検索要求を前記第一の検索条件と第二の検索条件とを含む第一の検索要求と前記第三の検索条件を含む第二の検索要求とに分割することを特徴とする請求項９記載の制御方法。
【請求項１２】
前記検索要求はデバイスの機器情報を示す少なくとも一つ以上の検索条件を含み、当該検索条件をユーザが入力可能な入力ステップを更に有することを特徴とする請求項９乃至１１の何れかに記載の制御方法。
【請求項１３】
前記送信ステップは、検索要求をネットワーク上にマルチキャストで送信することを特徴とする請求項９乃至１２の何れかに記載の制御方法。
【請求項１４】
前記送信ステップは、ＵＤＰプロトコルに基づいて検索要求をネットワーク上に送信することを特徴とする請求項９乃至１３の何れかに記載の制御方法。
【請求項１５】
前記受信ステップで受信された第一の検索結果と第二の検索結果を合成して検索結果を生成する生成ステップを更に有することを特徴とする請求項９乃至１４の何れかに記載の制御方法。
【請求項１６】
情報処理装置の制御方法であって、
デバイスの機器情報を示す第一の検索条件と第二の検索条件をユーザに入力させる入力ステップと、
前記第一の検索条件と前記第二の検索条件を含む検索要求が所定のデータサイズを超える場合、前記第一の検索条件を含む第一の検索要求と前記第二の検索条件を含む第二の検索要求を送信する送信ステップと、
前記第一の検索要求に対する第一の検索結果と前記第二の検索要求に対する第二の検索結果のそれぞれを受信する受信ステップと、
前記受信手段によって受信された第一の検索結果及び第二の検索結果に基づいて結果を表示する表示ステップとを有することを特徴とする制御方法。
【請求項１７】
情報処理装置に以下のステップを実行させるコンピュータプログラムであって、
ネットワーク上のデバイスの中から所望のデバイスを検索するための検索要求が所定のデータサイズを超える場合、前記検索要求を第一の検索要求と第二の検索要求に分割する分割ステップと、
前記第一の検索要求と前記第二の検索要求を送信する送信ステップと、
前記第一の検索要求に対する第一の検索結果と前記第二の検索要求に対する第二の検索結果のそれぞれを受信する受信ステップと、
前記受信ステップによって受信された第一の検索結果と第二の検索結果とに基づいて結果を表示する表示ステップとを情報処理装置に実行させるコンピュータプログラム。
【請求項１８】
情報処理装置に以下のステップを実行させるコンピュータプログラムであって、
デバイスの機器情報を示す第一の検索条件と第二の検索条件をユーザに入力させる入力ステップと、
前記第一の検索条件と前記第二の検索条件を含む検索要求が所定のデータサイズを超える場合、前記第一の検索条件を含む第一の検索要求と前記第二の検索条件を含む第二の検索要求を送信する送信ステップと、
前記第一の検索要求に対する第一の検索結果と前記第二の検索要求に対する第二の検索結果のそれぞれを受信する受信ステップと、
前記受信手段によって受信された第一の検索結果及び第二の検索結果に基づいて結果を表示する表示ステップとを情報処理装置に実行させるコンピュータプログラム。
【手続補正２】
【補正対象書類名】明細書
【補正対象項目名】００１４
【補正方法】変更
【補正の内容】
【００１４】
上記課題を解決するため、本発明の情報処理装置は、ネットワーク上のデバイスの中から所望のデバイスを検索するための検索要求が所定のデータサイズを超える場合、前記検索要求を第一の検索要求と第二の検索要求に分割する分割手段と、前記第一の検索要求と前記第二の検索要求を送信する送信手段と、前記第一の検索要求に対する第一の検索結果と前記第二の検索要求に対する第二の検索結果のそれぞれを受信する受信手段と、前記受信手段によって受信された第一の検索結果と第二の検索結果とに基づいて結果を表示する表示手段とを有することを特徴とする。